(57)【要約】【課題】  デジタルテレビ放送の受信機において、チャンネルのプリセットを容易にする。【解決手段】  デジタルテレビ放送の受信回路１０と、数字キー５１と、プリセットテーブルと、制御回路３０とを設ける。制御回路３０は、デジタルテレビ放送の周波数帯のスキャンを実行し、このスキャン中に、あるチャンネルでデジタルテレビ放送が受信されたとき、そのチャンネルを受信するためのチャンネルデータと、そのチャンネルで得られる情報のデータとのデータ組を取り込む。この取り込んだデータ組を情報のデータに含まれる項目を条件としてソートし、このソート結果のデータ組をプリセットテーブルに登録する。数字キー５１が押されたときには、プリセットテーブルに登録されているデータ組のうち、押された数字キー５１に対応するデータ組を取り出し、この取り出したデータ組に含まれるチャンネルデータを受信回路１０に設定する。【選択図】  図１
2007312150.tif 000002
【特許請求の範囲】
【請求項１】
デジタルテレビ放送を受信して所定のチャンネルの映像信号、音声信号および上記デジタルテレビ放送に関する情報のデータを出力する受信回路と、
数字キーと、
不揮発性メモリに用意されたプリセットテーブルと、
制御回路と
を有し、
上記制御回路は、
上記デジタルテレビ放送の周波数帯のスキャンを実行し、
このスキャン中に、あるチャンネルで上記デジタルテレビ放送が受信されたとき、そのチャンネルを受信するためのチャンネルデータと、そのチャンネルで得られる上記情報のデータとのデータ組を取り込むとともに、
このデータ組を上記情報のデータに含まれる項目を条件としてソートし、
このソート結果のデータ組を上記プリセットテーブルに登録し、
上記数字キーが押されたときには、上記プリセットテーブルに登録されているデータ組のうち、上記押された数字キーに対応するデータ組を取り出し、
この取り出したデータ組に含まれるチャンネルデータを上記受信回路に設定する
ようにしたデジタルテレビ放送の受信機。
【請求項２】
請求項１に記載の受信機において、
上記ソートの条件となる項目が上記情報のデータに含まれる地域ＩＤである
ようにしたデジタルテレビ放送の受信機。
【請求項３】
請求項１に記載の受信機において、
上記ソートの条件となる項目が上記情報のデータに含まれる系列事業者ＩＤである
ようにしたデジタルテレビ放送の受信機。
【請求項４】
請求項１に記載の受信機において、
上記ソートの条件となる項目が上記情報のデータに含まれる地域ＩＤおよび系列事業者ＩＤである
ようにしたデジタルテレビ放送の受信機。
【発明の詳細な説明】
【技術分野】
【０００１】
この発明は、デジタルテレビ放送の受信機に関する。
【背景技術】
【０００２】
地上デジタルテレビ放送の受信機には、チャンネル（テレビ局）のプリセット選局機能やチャンネルアップダウン機能が用意されている。
【０００３】
プリセット選局機能は、リモコン（遠隔操作）の送信機に設けられている数字キーのいずれかを押すと、その押されたキーにあらかじめプリセットされているチャンネルが選択されるものである。また、チャンネルアップダウン機能は、チャンネルアップキーあるいはチャンネルダウンキーを押すと、プリセットされているチャンネルが順に選択されていくものである。
【０００４】
これらの機能を実現するため、据置型の地上デジタルテレビ放送の受信機では、受信機の設置時、その使用場所を示す情報、例えば郵便番号を入力するように促される。そこで、ユーザが使用場所を示す情報を入力すると、その使用場所の地域で受信できるチャンネルが、プリセット用のメモリに自動的に登録される。
【０００５】
したがって、以後、プリセット選局機能やチャンネルアップダウン機能を利用することができるようになる。また、番組の情報と組み合わせることにより番組表を表示できるようにもなる。
【０００６】
なお、先行技術文献として例えば以下のものがある。
【特許文献１】特開２００４−３４３２３５号公報
【発明の開示】
【発明が解決しようとする課題】
【０００７】
ところで、自動車などの移動体に搭載した受信機、あるいはいわゆるノートパソコンや携帯電話機などに内蔵した受信機、つまり、移動体受信機は、これを使用する場所が一定しない。このため、移動体受信機において、プリセット選局機能やチャンネルアップダウン機能を利用できるようにするには、移動するごとに、受信機の使用場所を示す情報を入力する必要がある。しかし、これでは使い勝手が悪くなってしまう。
【０００８】
そこで、ＧＰＳなどを用いて受信機の位置を検出し、その検出した位置情報に基づいて、受信できるチャンネルをメモリに設定することが考えられる。しかし、サービスエリアは単純な形状ではないので、この方法の場合には、位置情報から対応するサービスエリアを求めるための構成や処理が複雑になってしまう。また、実際には、２つのサービスエリアの境界付近では、位置を特定できても、どちらのサービスエリアに対応させればよいかが曖昧になることが多い。
【０００９】
この発明は、このような問題点を解決しようとするものである。
【課題を解決するための手段】
【００１０】
この発明においては、
デジタルテレビ放送を受信して所定のチャンネルの映像信号、音声信号および上記デジタルテレビ放送に関する情報のデータを出力する受信回路と、
数字キーと、
不揮発性メモリに用意されたプリセットテーブルと、
制御回路と
を有し、
上記制御回路は、
上記デジタルテレビ放送の周波数帯のスキャンを実行し、
このスキャン中に、あるチャンネルで上記デジタルテレビ放送が受信されたとき、そのチャンネルを受信するためのチャンネルデータと、そのチャンネルで得られる上記情報のデータとのデータ組を取り込むとともに、
このデータ組を上記データ信号に含まれる項目を条件としてソートし、
このソート結果のデータ組を上記プリセットテーブルに登録し、
上記数字キーが押されたときには、上記プリセットテーブルに登録されているデータ組のうち、上記押された数字キーに対応するデータ組を取り出し、
この取り出したデータ組に含まれるチャンネルデータを上記受信回路に設定する
ようにしたデジタルテレビ放送の受信機
とするものである。
【発明の効果】
【００１１】
この発明によれば、受信場所が変わっても、その受信場所をいちいち入力する必要がなく、例えばスキャンキーを押すだけのワンタッチでプリセットを行うことができる。
【００１２】
また、ＧＰＳなどを用いて受信機の位置を検出したり、その検出結果から対応するサービスエリアを求めたりする必要がないので、構成や処理が複雑になることがない。さらに、２つのサービスエリアの境界付近であっても、プリセットを行うことができる。
【発明を実施するための最良の形態】
【００１３】
〔１〕  送信される情報信号および用語について
地上デジタルテレビ放送においては、本来の映像信号、音声信号あるいはデータ信号に加えて、各種の情報信号を送信している。以下に、この発明が関係する情報信号および用語について簡単に説明する。
【００１４】
(1) サービスＩＤ
このサービスＩＤは、日本全国のサービスに対してユニークに割り当てられたＩＤであり、図６に示すように、「地域ＩＤ」、「県複フラグ」、「サービス種別」、「地域事業者ＩＤ」および「サービス番号」を有する。
【００１５】
ここで、地域ＩＤは、全国の各地域を定義するＩＤであり、地域事業者ＩＤは、地域ＩＤの示す地域における各テレビ放送事業者を定義するＩＤである。また、サービス種別は、テレビ放送やデータ放送を区別するためのデータであり、サービス番号は、サービス種別のそれぞれにおいてサービスを指定するためのデータである。さらに、県複フラグは、同一地域で２つのＴＳを送信するとき、それぞれのサービスＩＤを異ならせるためのものである。
【００１６】
(2) 系列事業者ＩＤ(Affiliation ID)
これは、テレビ放送の系列局を示すＩＤである。
【００１７】
(3) ＢＩＴ(Broadcaster Information Table)
このＢＩＴは、ブロードキャスタ（委託放送事業者あるいはその集合）に関する情報のデータテーブルである。このＢＩＴの中に「拡張ブロードキャスタ記述子」があり、この記述子に(2)の系列事業者ＩＤが含まれている。したがって、このＢＩＴにより、移動体受信機がフリンジエリアで放送を連続受信するために必要な系列事業者ＩＤを把握することができる。
【００１８】
(4) ＥＩＴ(Event Information Table)
このＥＩＴは、番組表、番組の名称、放送日時、内容の説明など、番組に関する情報を有するデータテーブルである。このＥＩＴにより、現在、次および次以降に放送されるイベントの開始および終了時刻などの番組情報を得ることができる。
【００１９】
〔２〕  構成
図１は、この発明を適用した地上デジタルテレビ放送の受信機の一例を示し、符号１０はその受信回路である。すなわち、地上デジタルテレビ放送の放送波がアンテナ１１により受信され、その受信信号がシンセサイザ方式に構成されたチューナ回路１２に供給されて目的とするチャンネル（サービス）を含む受信信号が中間周波信号に変換される。
【００２０】
そして、この中間周波信号が中間周波回路１３を通じて復調回路１４に供給されてＭＰＥＧ２形式のデジタルデータ（トランスポートストリーム）が復調されて取り出され、このデジタルデータがＴＳデコーダ回路１５に供給されて目的とするチャンネルの映像および音声のデータストリームが選択されるとともにデコードされる。
【００２１】
そして、このデコードされた映像のデータストリームが、映像デコーダ回路１６に供給されてもとのデジタル映像信号にデコードされ、このデジタル映像信号がＯＳＤ回路１７を通じてデジタル入力の表示手段、例えばＬＣＤパネル１８に供給され、目的とするチャンネルの映像が表示される。
【００２２】
なお、ＯＳＤ回路１７は、後述するシステム制御回路３０からの制御信号にしたがって、映像デコーダ回路１６から供給される映像信号のＬＣＤパネル１８への供給を制御するものである。さらに、ＯＳＤ回路１７は、システム制御回路３０からの表示データにしたがって、所定の文字（数字や記号を含む）を表示するためのデジタル映像信号を形成し、これをＬＣＤパネル１８に供給するものでもある。
【００２３】
さらに、ＴＳデコーダ回路１５によりデコードされた音声のデータストリームが、音声デコーダ回路２１に供給されてもとのデジタル音声信号にデコードされるとともに、アナログ信号にＤ／Ａ変換され、この信号がスピーカ２２に供給され、ＬＣＤパネル１８に表示されている映像に対応する音声が、スピーカ２２から出力される。
【００２４】
また、ＴＳデコーダ回路１５から上述の(1)〜(4)により説明したデータ信号が取り出され、このデータ信号がシステム制御回路３０に供給されるとともに、復調回路１４およびＴＳデコーダ回路１５からシステム制御回路３０にステータス信号が供給される。また、システム制御回路３０からチューナ回路１２に選局信号が供給されるとともに、ＴＳデコーダ回路１５に制御信号が供給される。
【００２５】
この場合、システム制御回路３０は、受信回路１０の受信処理やＬＣＤパネル１８の表示などの制御を行うものである。このため、制御回路３０は、マイクロコンピュータにより構成され、ＣＰＵ３１と、各種のプログラムが書き込まれているＲＯＭ３２と、ワークエリア用のＲＡＭ３３と、不揮発性メモリ３４とを有している。
【００２６】
そして、システム制御回路３０には、各種の操作キー４１が接続されるとともに、リモコン（遠隔操作）の受信部４２が接続される。この受信部４２は、リモコンの送信機５０と対となっているものであり、これら送信機５０および受信部４２は、例えば赤外線によりリモコンを実現するものである。そして、送信機５０は、操作キーの一部として、「１」〜「12」の数字キー５１と、チャンネルアップダウン機能を実現するための次キー５２Ｎおよび前キー５２Ｐとを有する。なお、数字キー５１は、後述するように、プリセット選局機能を実現するためのプリセットキーでもある。
【００２７】
さらに、システム制御回路３０のＲＯＭ３２には、そのプログラムの一部として、例えば図２に示すようなルーチン１００が用意される。このルーチン１００は、プリセット選局用のデータを登録するためのものであり、その詳細については後述する。なお、図２においては、ルーチン１００はこの発明に関係する部分だけを抜粋して示している。
【００２８】
また、システム制御回路３０のメモリ３４には、例えば図３に示すようなプリセットテーブルPTBLが用意される。このプリセットテーブルPTBLは、プリセット選局機能によるチャンネルの選択を実現するためのものであり、ルーチン１００が実行されて必要なデータが登録される。
【００２９】
すなわち、図３の例においては、プリセットテーブルPTBLは、チャンネルデータＤCHと、局名データＤNAMEと、チャンネル番号データＤNOと、その他のデータＤiとを１組とし、この１組のデータを、リモコン送信機５０の数字キー５１のそれぞれ（「１」〜「12」キー）ごとに有する。
【００３０】
ここで、チャンネルデータＤCHは、チューナ回路１２に選局信号として供給されて目的とするチャンネルを含む受信信号を選択するためのデータと、ＴＳデコーダ回路１５に制御信号として供給されて目的とするチャンネルの映像および音声のデータストリームを選択するためのデータとから構成されている。
【００３１】
また、局名データＤNAMEは、ＬＣＤパネル１８に、テレビ局名やロゴなどを表示するためのデータであり、チャンネル番号データＤNOは、ＬＣＤパネル１８にチャンネル番号を表示するためのデータである。さらに、データＤiは、上述の(1)〜(4)のデータ（およびこれを処理して得られるデータ）である。
【００３２】
〔３〕  動作
〔３−１〕  プリセット
チャンネルのプリセットを行う場合には、例えばユーザが操作キー４１のうちのスキャンキーを押す。すると、ＣＰＵ３１によりルーチン１００が実行されて地上デジタルテレビ放送の周波数帯がスキャンされ、プリセットが行われる。
【００３３】
すなわち、スキャンキーを押すと、ＣＰＵ３１の処理がルーチン１００のステップ１０１からスタートし、次にステップ１０２において、システム制御回路３０からの選局信号により、チューナ回路１２の受信チャンネルが、地上デジタルテレビ放送における最低チャンネルに設定される。続いて、ステップ１１１において、復調回路１４からのステータス信号をチェックすることにより、このとき設定されている受信チャンネルでデジタルデータ（トランスポートストリーム）を受信できるか否かが判別される。
【００３４】
そして、受信できるときには、処理はステップ１１１からステップ１１２に進み、このステップ１１２において、ＴＳデコーダ回路１５から(1)〜(4)により説明したデータＤiが取り出されてＲＡＭ３３にいったん保存され、次にステップ１１３に進む。また、ステップ１１１において、デジタルデータを受信できないときには、処理はステップ１１１から直接ステップ１１３に進む。
【００３５】
そして、ステップ１１３において、このときチューナ回路１２に設定されているチャンネルが最高チャンネルであるか否かが判別され、最高チャンネルではないときには、処理はステップ１１３からステップ１１４に進み、チューナ回路１２は、このとき設定されている受信チャンネルより１チャンネル高い受信チャンネルに設定され、その後、処理はステップ１１１に戻る。
【００３６】
したがって、以後、ステップ１１１〜１１４が繰り返されるので、地上デジタルテレビ放送の周波数帯に対して、その最低チャンネルから１チャンネルずつ放送の有無がチェックされていき、すなわち、スキャンされていくことになる。また、このスキャン時、放送を受信できた受信チャンネルについては、その受信チャンネルにおける(1)〜(4)により説明したデータＤiがＲＡＭ３３に取り込まれていく。
【００３７】
そして、以上の処理が最高チャンネルまで実行されると、処理はステップ１１３からステップ１２１に進み、ＲＡＭ３３に取り込まれたデータＤiがソートされる。このソートは、例えば図４に示すように実行される。すなわち、図４は、ある地域でルーチン１００を実行したことにより、静岡県の放送のデータと愛知県の放送のデータとがＲＡＭ３３に取り込まれている場合である。
【００３８】
そして、ステップ１２１におけるソートは、例えば図４に示すように、登録されているデータを地域別にソートするとともに、同じ地域では系列局順にソートするものである。このとき、地域別のソートは、(1)のサービスＩＤにおける地域ＩＤを使用して行うことができ、系列局順のソートは、(2)の系列事業者ＩＤを使用して行うことができる。
【００３９】
なお、例えば静岡県の放送のデータしかＲＡＭ３３に取り込まれていないときには、すなわち、地域ＩＤがすべて等しいときには、地域別のソートは不要である。また、(1)〜(4)のデータに対して処理が必要な場合、これもステップ１２１で行うことができる。
【００４０】
そして、処理はステップ１２１に続いてステップ１２２に進み、ステップ１２１におけるソート結果が不揮発性メモリ３４のプリセットテーブルPTBLにコピーされる。したがって、ステップ１２２により、ステップ１１１〜１１４のスキャンの結果がプリセットテーブルPTBLに登録されるので、放送を受信できるチャンネルが数字キー５１にプリセットされることになる。そして、その後、処理はステップ１２３に進み、ルーチン１００を終了する。
【００４１】
こうして、ルーチン１００によれば、地上デジタルテレビ放送を受信できるチャンネルを数字キー５１にプリセットをすることができる。
【００４２】
〔３−２〕  プリセット選局機能によるチャンネルの選択
この場合には、リモコン送信機５０の数字キー５１のうち、目的とするチャンネルがプリセットされている数字キーを押す。
【００４３】
すなわち、数字キー５１のうち、例えば「３」キーを押すと、これが赤外線により送信機５０から受信部４２に送信され、システム制御回路３０に「３」キーの押されたことが通知される。すると、システム制御回路３０においては、メモリ３４のプリセットテーブルPTBLのうち、「３」キーの組からチャンネルデータＤCH3が取り出され、この取り出されたチャンネルデータＤCH3が、チューナ回路１２およびＴＳデコーダ回路１５に供給される。
【００４４】
この結果、チューナ回路１２において、「３」キーにプリセットされているチャンネルを含む受信信号が選択されるとともに、ＴＳデコーダ回路１５において、「３」キーにプリセットされているチャンネルの映像および音声のデータストリームが選択されてデコードされる。したがって、映像デコーダ回路１６からは「３」キーにプリセットされているチャンネルのデジタル映像信号が取り出され、このデジタル映像信号がＯＳＤ回路１７を通じてＬＣＤパネル１８に供給されるので、ＬＣＤパネル１８には「３」キーにプリセットされているチャンネルの映像が表示される。
【００４５】
また、音声デコーダ回路２１からは「３」キーにプリセットされているチャンネルのアナログ音声信号が出力され、この音声信号がスピーカ２２に供給される。したがって、スピーカ２２からは「３」キーにプリセットされているチャンネルの音声が出力される。
【００４６】
さらに、このとき、プリセットテーブルPTBLのうち、「３」キーの組から局名データ「○○テレビ」が取り出されるとともに、チャンネル番号データ「＊４＊」が取り出され、これらデータがＯＳＤ回路１７に表示データとして供給される。この結果、ＯＳＤ回路１７において、その表示データに対応した所定のデジタル映像信号が形成され、この映像信号がＬＣＤパネル１８に供給される。これにより、ＬＣＤパネル１８には、「３」キーにプリセットされているチャンネルのテレビ局名「○○テレビ」およびチャンネル番号「＊４＊」が、放送の映像に重畳されて所定の期間にわたって表示される。
【００４７】
こうして、数字キー５１の「１」〜「12」キーのどれかを押すと、その押されたキーにプリセットされているチャンネルが選択され、そのチャンネルの受信ができる。
【００４８】
〔３−３〕  チャンネルアップダウン機能によるチャンネルの選択
この場合には、プリセットテーブルPTBLにプリセットされているチャンネルのうちの任意のチャンネルを受信しているときに、リモコン送信機５０のうちの次キー５２Ｎあるいは前キー５２Ｐを押す。
【００４９】
すると、この次キー５２Ｎあるいは前キー５２Ｐの押されたことが、〔３−２〕の場合と同様にしてシステム制御回路３０に通知され、プリセットテーブルPTBLのチャンネルデータうち、現在受信中のチャンネルの次あるいは前のチャンネルのチャンネルデータＤCHが取り出され、この取り出されたチャンネルデータＤCHがチューナ回路１２およびＴＳデコーダ回路１５に供給される。この結果、〔３−２〕の場合と同様にして現在受信中のチャンネルの次あるいは前のチャンネルの選択が開始される。
【００５０】
また、このとき、プリセットテーブルPTBLに登録されているすべての局名データＤNAMEおよびチャンネル番号データＤNOが取り出され、この取り出されたデータがＯＳＤ回路１７に表示データとして供給される。この結果、ＯＳＤ回路１７において、その表示データに対応した所定のデジタル映像信号が形成されてＬＣＤパネル１８に供給され、例えば図５に示すように、局名と、そのチャンネル番号とが局名リスト１８Ｌとして表示される。
【００５１】
さらに、この局名リスト１８Ｌのうち、現在受信中のチャンネルの次あるいは前のチャンネルの局名およびチャンネル番号の表示位置、図５の場合、「○○テレビ」および「＊４＊」の表示位置に、指標としてカーソル１８Ｃが表示される。なお、このカーソル１８Ｃは、反転表示により表示することができる。
【００５２】
そして、現在受信中のチャンネルの次あるいは前のチャンネルの映像および音声が得られるようになって所定の短い期間が経過すると、ＯＳＤ回路１７が制御され、図５に示す局名リスト１８Ｌは表示されなくなる。
【００５３】
したがって、次キー５２Ｎあるいは前キー５２Ｐを押すと、その押すごとに次のチャンネルあるいは前のチャンネルが選択されていき、最後に次キー５２Ｎあるいは前キー５２Ｐを押したチャンネルの映像および音声を視聴できることになる。
【００５４】
〔４〕  まとめ
上述のテレビ受信機によれば、自動車などに搭載してあるため、自動車の走行により受信場所が変わっても、その受信場所をいちいち入力する必要がなく、スキャンキーを押すだけのワンタッチでプリセットを行うことができる。したがって、使い勝手がよい。
【００５５】
また、ＧＰＳなどを用いて受信機の位置を検出したり、その検出結果から対応するサービスエリアを求めたりする必要がないので、構成や処理が複雑になることがない。さらに、２つのサービスエリアの境界付近であっても、プリセットを行うことができる。
【００５６】
また、局名リスト１８Ｌが表示されたとき、その局名は、ステップ１２１のソートにより系列局順となっているとともに、この順序は全国どこでも同じになるので、どの地域に移動してもチャンネルの選択が容易となる。さらに、ステップ１２１におけるソートでは、その他のデータＤiに含まれる番組表も同時にソートされるので、番組表も見やすくなる。
【００５７】
〔５〕  その他
上述においては、ステップ１２１においてＲＡＭ３３に取り込まれたデータをソートするとき、図４に示すように、ソートするとしたが、ユーザがあらかじめ設定した条件でソートするようにしてもよく、あるいはソート条件を何種類か用意しておき、そのうちの１つをユーザが選択するようにしてもよい。さらに、データＤiをプリセットテーブルPTBL上でソートすることもできる。
【００５８】
また、上述においては、操作キー４１のうちのスキャンキーを押すと、ルーチン１００の処理が開始されるとしたが、例えば、カーオーディオ装置における受信機の場合、ＣＤを再生しているときのようにテレビ放送を視聴していないとき、裏で自動的にルーチン１００の処理を実行してもよい。さらに、ＲＡＭ３３のデータを次回のスキャンまでキャッシュしておき、新たに得られたデータを処理するときに使用することもできる。
【００５９】
〔略語の一覧〕
ＢＩＴ    ：Broadcaster Information Table
ＣＤ      ：Compact Disc
ＣＰＵ    ：Central Processing Unit
Ｄ／Ａ    ：Digital to Analog
ＥＩＴ    ：Event Information Table
ＧＰＳ    ：Global Positioning System
ＩＤ      ：IDentification
ＬＣＤ    ：Liquid Crystal Display
ＭＰＥＧ  ：Motion Picture Experts Group
ＭＰＥＧ２：MPEG Phase 2
ＯＳＤ    ：On Screen Display
ＲＡＭ    ：Random Access Memory
ＲＯＭ    ：Read Only Memory
ＴＳ      ：Transport Stream
パソコン  ：personal computer
リモコン  ：remote control
【図面の簡単な説明】
【００６０】
【図１】この発明の一形態を示す系統図である。
【図２】この発明の一形態を示すフローチャートである。
【図３】この発明に使用できるデータテーブルの図である。
【図４】データの処理内容を示す図である。
【図５】表示例を示す図である。
【図６】デジタルデータの内容を示す図である。
【符号の説明】
【００６１】
１０…受信回路、３０…システム制御回路、３１…ＣＰＵ、３４…不揮発性メモリ、４１…操作キー、４２…リモコン受信部、５０…リモコン送信機、４１…数字キー、１００…ルーチン
【図１】
2007312150.tif 000003
【図２】
2007312150.tif 000004
【図３】
2007312150.tif 000005
【図４】
2007312150.tif 000006
【図５】
2007312150.tif 000007
【図６】
2007312150.tif 000008